(57)【特許請求の範囲】
【請求項１】
物体側から像側へ順に、負の屈折力の第１レンズ群Ｇ１と、開口絞りと、正の屈折力の第２レンズ群Ｇ２と、負の屈折力の第３レンズ群Ｇ３と、正の屈折力の第４レンズ群Ｇ４とからなり、無限遠物体側から近距離物体側へのフォーカシングをする際、第３レンズ群Ｇ３が像面方向へ移動し、無限遠合焦時の、前記第３レンズ群Ｇ３の物体側の面を基準とし、前記第２レンズ群Ｇ２による前記開口絞りの結像位置をＦｃＥｎｔｐとした時、以下の条件を満足することを特徴とするインナーフォーカス光学系。
（１）−６．５＜ｆ１／ｆ＜−２．８
（２）−５．６＜ｆ３／ｆ＜−３．０
（３）−０．６８＜ｆ２／ｆ１＜−０．２４
（４）０．５＜ＦｃＥｎｔｐ／ｆ３＜０．９５
（５）ＦｃＥｎｔｐ／ｆ＜−２．０
ただし
ｆ：全系の無限遠合焦状態での焦点距離
ｆ１：第１レンズ群Ｇ１の焦点距離
ｆ２：第２レンズ群Ｇ２の焦点距離
ｆ３：第３レンズ群Ｇ３の焦点距離
【請求項２】
前記開口絞りの像面側に、負の屈折力のレンズＬａ、正の屈折力のレンズＬｂ、負の屈折力のレンズＬｃの３枚が接合された接合レンズを有し、前記レンズＬａ、Ｌｂ、Ｌｃの接合レンズの焦点距離、合成厚が以下の条件を満足することを特徴とする請求項１に記載のインナーフォーカス光学系。
（６）−０．１５＜ｆ／ｆａｂｃ＜０．０６
（７）０．５＜ＯＡＬａｂｃ／ｆ＜１．５
ただし
ｆａｂｃ：Ｌａ，Ｌｂ，Ｌｃの接合レンズの焦点距離
ＯＡＬａｂｃ：Ｌａ，Ｌｂ，Ｌｃの接合レンズの合成厚
【請求項３】
以下の条件を満足することを特徴とする請求項１または２に記載のインナーフォーカス光学系。
（８）−１．３＜Ｍ４２・（１−Ｍ３２）＜−０．５
ただし、
Ｍ３：物体距離無限遠時の第３レンズ群の横倍率
Ｍ４：物体距離無限遠時の第４レンズ群の横倍率
【発明の詳細な説明】
【技術分野】
【０００１】
本発明は、スチルカメラ、ビデオカメラ等の撮像装置に用いる撮影レンズに好適な光学系に関し、オートフォーカスカメラに適したインナーフォーカス方式を採用し、またフォーカスレンズ群を光軸に沿う方向への微少な振動（ウオブリング）をさせた際の像高変化率が小さく、F値が１．４と明るく、３５ｍｍ判換算焦点距離で２４ｍｍ相当の画角を有するインナーフォーカス光学系に関するものである。
【背景技術】
【０００２】
従来、写真カメラやスチルビデオカメラに用いられる広角レンズはレトロフォーカスタイプが用いられてきた。これはミラーアップ機構を採用する一眼レフシステム用として、一定以上のバックフォーカスを確保するためであった。
【０００３】
一方、ミラーレス一眼タイプのボディは動画撮影にも頻繁に使用されるため、そのオートフォーカス方式に、フォーカスレンズ群を光軸に沿う方向へ微少振動（ウオブリング）させ続けることで、常にフォーカス駆動方向を判断し続ける形式のインナーフォーカス方式が採用されることが多い。その際、ウオブリング時の像高変化率が大きいと、鑑賞者が画面に映る被写体の倍率変動を認識し、目障りに感じてしまうため、フォーカス変化に対し像高変化率が小さいフォーカス方式を必要としている。
【０００４】
このような要求に対し特許文献１では、物体側から順に正の屈折力の第１レンズ群、開口絞り、正の屈折力の第２レンズ群で構成し、第２レンズ群中に含まれる負の屈折力の単レンズを光軸上移動することにより無限遠物体側から近距離物体側へのフォーカシングを行い、前記負の屈折力の単レンズより像側に少なくとも１枚の正レンズを含み、所定の条件を満足させることで、大口径でありながら、フォーカス速度の高速化できるインナーフォーカスレンズを達成している。
【０００５】
また特許文献２では、物体側より順に、正の屈折力の第１レンズ群Ｇ１、負の屈折力の第２レンズ群Ｇ２、正の屈折力の第３レンズ群Ｇ３からなり、開口絞りは第１レンズ群Ｇ１と第２レンズ群Ｇ２との間に配置し、第２レンズ群Ｇ２を像面側へ移動することでフォーカシングを行う大口径レンズにおいて、所定の条件を満足させることで、簡易な構成ながら、動画撮影時のオートフォーカスに対応するため、フォーカスレンズ重量を削減しつつ、フォーカシングによる収差変動が少なく、インナーフォーカス方式を採用する開放Ｆ値１．４程度の明るさにも適応可能で高性能な大口径レンズを提供している。
【０００６】
また特許文献３では、物体側から順に、第１レンズ群と、明るさ絞りと、正の屈折力を有する第２レンズ群と、負の屈折力を有する第３レンズ群と、正の屈折力を有する第４レンズ群と、からなり、第１レンズ群は少なくとも１枚の負レンズと少なくとも１枚の正レンズを有し、第２レンズ群は少なくとも１枚の負レンズと少なくとも１枚の正レンズを有し、第３レンズ群は少なくとも１枚の負レンズを有し、第４レンズ群は少なくとも１枚の正レンズを有し、無限遠物体から近距離物体への合焦の際に、第２レンズ群との距離を広げ、且つ第４レンズ群との距離を狭めるように、第３レンズ群が像側に移動し、所定の条件を満足させることで良好な結像性能を有するインナーフォーカスレンズ系を提供している。
【０００７】
また特許文献４では、物体側から順に、正の屈折力を有する第１レンズ群Ｇ１、正の屈折力を有する第２レンズ群Ｇ２、負の屈折力を有する第３レンズ群Ｇ３からなり、無限遠物体から近距離物体への合焦の際に、第２レンズ群Ｇ２が物体側へ移動し、第１レンズ群Ｇ１と第３レンズ群Ｇ３は像面Ｉに対して固定であり、前記第１レンズ群Ｇ１は、絞りＳを含み、所定のレンズ群からなり、前記第３レンズ群Ｇ３は、所定のレンズ群からなり、所定の条件式を満足することで結像光学系と撮像素子との間隔が短く、小型化を実現しており、Ｆナンバーが小さく、光線射出角を抑えることができ、無限遠撮影から近距離撮影において諸収差を良好に補正した、画角が４０〜６０°程度の結像光学系を提供している。
【先行技術文献】
【特許文献】
【０００８】
【特許文献１】特開２０１２−２２０６５４号公報
【特許文献２】特開２０１３−３３２４号公報
【特許文献３】特開２０１３−１３０６６９号公報
【特許文献４】特開２０１５−７５５０１号公報
【発明の概要】
【発明が解決しようとする課題】
【０００９】
しかしながら前記特許文献１に開示されたレンズ系では、焦点距離のバリエーションはあるものの、絞りより物体側のレンズ群が正の屈折力を持つため、３５ｍｍ換算焦点距離で２８ｍｍ程度の画角しか広角側の開示が無く、この構成からは３５ｍｍ換算焦点距離で２４ｍｍの画角でかつＦ値１．４程度を達成することは困難である。
【００１０】
また、前記特許文献２に開示されたレンズ系では、フォーカスレンズ群と絞りが隣接しているため、動画撮影時のオートフォーカスのフォーカスレンズ群を光軸に沿う方向へ微少振動（ウオブリング）させた際の像高変化率が大きいため、鑑賞者が画面に映る被写体の倍率変動を認識し、目障りに感じてしまう課題がある。さらに第１群がガウスタイプで構成されており、３５ｍｍ換算焦点距離で５０ｍｍ程度の画角しか開示が無いため、さらなる広角化は困難である。
【００１１】
また、前記特許文献３に開示されたレンズ系では、絞りより物体側である第１レンズ群の屈折力の制約が無く、また開示の実施例の第１レンズ群は弱い負の屈折力しか持たないため、実施例からもあるように３５ｍｍ換算焦点距離で３２ｍｍ程度の画角でＦ値が１．７程度の実施例しか開示されておらず、この構成からは３５ｍｍ換算焦点距離で２４ｍｍの画角、およびＦ値１．４程度を達成することは困難である。
【００１２】
また、前記特許文献４では、物体側から順に、正の屈折力を有する第１レンズ群Ｇ１、正の屈折力を有する第２レンズ群Ｇ２、負の屈折力を有する第３レンズ群Ｇ３からなり、無限遠物体から近距離物体への合焦の際に、第２レンズ群Ｇ２が物体側へ移動し、第１レンズ群Ｇ１と第３レンズ群Ｇ３は像面Ｉに対して固定であり、前記第１レンズ群Ｇ１は、絞りＳを含み、所定のレンズ群からなり、前記第３レンズ群Ｇ３は、所定のレンズ群からなり、所定の条件式を満足することで、小型で、Ｆナンバーが小さく、光線射出角を抑え、無限遠撮影から近距離撮影において諸収差を良好に補正しているが、画角が４０〜６０°程度（３５ｍｍ換算焦点距離で３７ｍｍから５９ｍｍ程度）の狭い画角でしか実現できていなく、この構成からは３５ｍｍ換算焦点距離で２４ｍｍの画角を達成することは困難である。
【課題を解決するための手段】
【００１３】
そこで、本発明は、以下に示す手段により、オートフォーカスカメラに適したインナーフォーカス方式を採用し、またフォーカスレンズ群を光軸に沿う方向へ微少振動（ウオブリング）させた際の像高変化率が小さく、F値が１．４と明るく、３５ｍｍ判換算焦点距離で２４ｍｍ相当の画角を有するインナーフォーカス光学系を提供する。
【００１４】
前述の課題を解決するため第１の発明は、物体側から像側へ順に、負の屈折力の第１レンズ群Ｇ１と、開口絞りと、正の屈折力の第２レンズ群Ｇ２と、負の屈折力の第３レンズ群Ｇ３と、正の屈折力の第４レンズ群Ｇ４とからなり、無限遠物体側から近距離物体側へのフォーカシングをする際、第３レンズ群Ｇ３が像面方向へ移動し、以下の条件を満足することを特徴とするインナーフォーカス光学系とした。
（１）−６．５＜ｆ１／ｆ＜ −２．８
（２）−５．６＜ｆ３／ｆ＜−３．０
（３）−０．６８＜ｆ２／ｆ１＜−０．２４
ただし
ｆ ： 全系の無限遠合焦状態での焦点距離
ｆ１ ： 第１レンズ群Ｇ１の焦点距離
ｆ２ ： 第２レンズ群Ｇ２の焦点距離
ｆ３ ： 第３レンズ群Ｇ３の焦点距離
【００１５】
前述の課題を解決するため第１の発明はさらに、無限遠合焦時の、前記第３レンズ群Ｇ３の物体側の面を基準とし、前記第２レンズ群Ｇ２による前記開口絞りの結像位置をＦｃＥｎｔｐとした時、以下の条件を満足することを特徴とするインナーフォーカス光学系とした。
（４）０．５＜ＦｃＥｎｔｐ／ｆ３＜０．９５
（５）ＦｃＥｎｔｐ／ｆ＜−２.０
【００１６】
前述の課題を解決するため第２の発明は、第１の発明においてさらに、前記開口絞りの像面側に、物体側より順に、負の屈折力のレンズＬａ、正の屈折力のレンズＬｂ、負の屈折力のレンズＬｃの３枚が接合された接合レンズを有し、前記レンズＬａ、Ｌｂ、Ｌｃの接合レンズの焦点距離、合成厚が以下の条件を満足することを特徴とするインナーフォーカス光学系とした。
（６）−０．１５＜ｆ／ｆａｂｃ＜０．０６
（７）０．５＜ＯＡＬａｂｃ／ｆ＜１．５
ただし
ｆａｂｃ：Ｌａ，Ｌｂ，Ｌｃの接合レンズの焦点距離
ＯＡＬａｂｃ：Ｌａ，Ｌｂ，Ｌｃの接合レンズの合成厚
【００１７】
前述の課題を解決するため第３の発明は、第１または２の発明においてさらに、以下の条件を満足することを特徴とするインナーフォーカス光学系とした。
（８）−１．３＜Ｍ４２・（１−Ｍ３２）＜−０．５
ただし、
Ｍ３：物体距離無限遠時の第３レンズ群Ｇ３の横倍率
Ｍ４：物体距離無限遠時の第４レンズ群Ｇ４の横倍率
【発明の効果】
【００１８】
本発明により、オートフォーカスカメラに適したインナーフォーカス方式を採用し、またフォーカスレンズ群を光軸に沿う方向へ微少振動（ウオブリング）させた際の像高変化率が小さく、F値が１．４と明るく、３５ｍｍ判換算焦点距離で２４ｍｍ相当の画角を有するインナーフォーカス光学系を提供することができる。
【図面の簡単な説明】
【００１９】
【図１】本発明の実施例１のインナーフォーカス光学系の撮影距離無限遠におけるレンズ構成図。
【図２】本発明の実施例１の撮影距離無限遠における縦収差図。
【図３】本発明の実施例１の撮影倍率４０倍における縦収差図。
【図４】本発明の実施例１の撮影距離２００ｍｍ における縦収差図。
【図５】本発明の実施例１の撮影距離無限遠における横収差図。
【図６】本発明の実施例１の撮影倍率４０倍 における横収差図。
【図７】本発明の実施例１の撮影距離２００ｍｍ における横収差図。
【図８】本発明の実施例２のインナーフォーカス光学系の撮影距離無限遠におけるレンズ構成図。
【図９】本発明の実施例２の撮影距離無限遠における縦収差図。
【図１０】本発明の実施例２の撮影倍率４０倍における縦収差図。
【図１１】本発明の実施例２の撮影距離２００ｍｍ における縦収差図。
【図１２】本発明の実施例２の撮影距離無限遠における横収差図。
【図１３】本発明の実施例２の撮影倍率４０倍 における横収差図。
【図１４】本発明の実施例２の撮影距離２００ｍｍ における横収差図。
【図１５】本発明の実施例３のインナーフォーカス光学系の撮影距離無限遠におけるレンズ構成図。
【図１６】本発明の実施例３の撮影距離無限遠における縦収差図。
【図１７】本発明の実施例３の撮影倍率４０倍における縦収差図。
【図１８】本発明の実施例３の撮影距離２００ｍｍ における縦収差図。
【図１９】本発明の実施例３の撮影距離無限遠における横収差図。
【図２０】本発明の実施例３の撮影倍率４０倍 における横収差図。
【図２１】本発明の実施例３の撮影距離２００ｍｍ における横収差図。
【図２２】本発明の実施例４のインナーフォーカス光学系の撮影距離無限遠におけるレンズ構成図。
【図２３】本発明の実施例４の撮影距離無限遠における縦収差図。
【図２４】本発明の実施例４の撮影倍率４０倍における縦収差図。
【図２５】本発明の実施例４の撮影距離２００ｍｍ における縦収差図。
【図２６】本発明の実施例４の撮影距離無限遠における横収差図。
【図２７】本発明の実施例４の撮影倍率４０倍 における横収差図。
【図２８】本発明の実施例４の撮影距離２００ｍｍ における横収差図。
【図２９】本発明の実施例５のインナーフォーカス光学系の撮影距離無限遠におけるレンズ構成図。
【図３０】本発明の実施例５の撮影距離無限遠における縦収差図。
【図３１】本発明の実施例５の撮影倍率４０倍における縦収差図。
【図３２】本発明の実施例５の撮影距離２００ｍｍ における縦収差図。
【図３３】本発明の実施例５の撮影距離無限遠における横収差図。
【図３４】本発明の実施例５の撮影倍率４０倍 における横収差図。
【図３５】本発明の実施例５の撮影距離２００ｍｍ における横収差図。
【図３６】本発明の実施例６のインナーフォーカス光学系の撮影距離無限遠におけるレンズ構成図。
【図３７】本発明の実施例６の撮影距離無限遠における縦収差図。
【図３８】本発明の実施例６の撮影倍率４０倍における縦収差図。
【図３９】本発明の実施例６の撮影距離２００ｍｍ における縦収差図。
【図４０】本発明の実施例６の撮影距離無限遠における横収差図。
【図４１】本発明の実施例６の撮影倍率４０倍 における横収差図。
【図４２】本発明の実施例６の撮影距離２００ｍｍ における横収差図。
【図４３】本発明の実施例７のインナーフォーカス光学系の撮影距離無限遠におけるレンズ構成図。
【図４４】本発明の実施例７の撮影距離無限遠における縦収差図。
【図４５】本発明の実施例７の撮影倍率４０倍における縦収差図。
【図４６】本発明の実施例７の撮影距離２００ｍｍ における縦収差図。
【図４７】本発明の実施例７の撮影距離無限遠における横収差図。
【図４８】本発明の実施例７の撮影倍率４０倍 における横収差図。
【図４９】本発明の実施例７の撮影距離２００ｍｍ における横収差図。
【発明を実施するための形態】
【００２０】
本発明の実施例のインナーフォーカス光学系は、図１、８、１５、２２、２９、３６、４３に示すレンズ構成図からわかるように、物体側から像側へ順に、負の屈折力の第１レンズ群Ｇ１と、開口絞りと、正の屈折力の第２レンズ群Ｇ２と、負の屈折力の第３レンズ群Ｇ３と、正の屈折力の第４レンズ群Ｇ４とからなり、無限遠物体側から近距離物体側へのフォーカシングをする際、第３レンズ群Ｇ３が像面方向へ移動することを特徴とする。
【００２１】
以下、本実施形態のインナーフォーカス光学系について説明する。本発明では、光学系の屈折力配置を物体側から順に負の屈折力の第１レンズ群Ｇ１、開口絞り、正の屈折力の第２レンズ群Ｇ２、負の屈折力のフォーカスレンズ群である第３レンズ群Ｇ３、更に正の屈折力の第４レンズ群Ｇ４とし、光学系全体を開口絞りより物体側が負の屈折力、開口絞りより像側が正の屈折力とした所謂レトロフォーカス型屈折力配置とし、フォーカス時のウオブリングによる像高変化率を小さくし、かつ３５ｍｍ判換算焦点距離で２４ｍｍ相当の画角を有する光学系を達成している。
【００２２】
上記構成が必要な理由は以下のとおりである。すなわち、開口絞りとフォーカスレンズ群の間に正の屈折力のレンズ群を配置することで、フォーカス群から見た開口絞りの像を遠方に射影することにより、上記像高変化率を小さくすることが可能となり、さらにフォーカスレンズ群の像側に正の屈折力のレンズ群を配置することでフォーカスレンズ群を通過した主光線が、その正屈折力のレンズ群の効果により、その主光線の像面への入射角が緩やかになり、更なる像高変化率の縮小に寄与する。
【００２３】
また、開口絞りより物体側に負の屈折力のレンズ群を配置することにより、広い画角の入射角をこの負の屈折力のレンズ群で緩和させ、開口絞りを通過する主光線角を緩やかにすることで画角に対する収差補正能力を上げている。以上により、フォーカスレンズ群を光軸に沿う方向への微少な振動（ウオブリング）をさせた際の像高変化率が小さく、さらに３５ｍｍ判換算焦点距離で２４ｍｍ相当の画角を有する光学系の提供が可能となる。
【００２４】
さらに、上記の通り、本実施例のインナーフォーカス光学系は以下の条件式を満足することを特徴とする。
（１）−６．５＜ｆ１／ｆ＜ −２．８
（２）−５．６＜ｆ３／ｆ＜−３．０
（３）−０．６８＜ｆ２／ｆ１＜−０．２４
ただし
ｆ ： 全系の無限遠合焦状態での焦点距離
ｆ１ ： 第１レンズ群Ｇ１の焦点距離
ｆ２ ： 第２レンズ群Ｇ２の焦点距離
ｆ３ ： 第３レンズ群Ｇ３の焦点距離
【００２５】
上記のように本発明のインナーフォーカス光学系は、ウオブリングによるオートフォーカスが可能であることを前提にしている。すなわちウオブリングの際の像高変化率が小さい形式としている。そのためには、ウオブリングによるフォーカスレンズ群の主光線高の変動を小さくすればよく、無限遠合焦時の、第３レンズ群Ｇ３の物体側の面から第２レンズ群Ｇ２による開口絞りの結像位置までの距離を大きくすればよい。
【００２６】
ウオブリングによる像高変動はウオブリングによる歪曲収差の変動で表すことができる。
松居吉哉著、レンズ設計法、共立出版Ｐ８８によれば、３次の歪曲収差係数Ｖは以下の式で表される。
Ｖ＝Ｊ・ＩＶ
これを展開すると以下になり、３次の歪曲収差係数Ｖは近軸主光線高Ｈ’の３乗に比例する。
（参考式１）
Ｖ＝(（Ｈ’・Ｑ’）３／（Ｈ・Ｑ）)・Ｈ２・Δ（１／（ｎ・ｓ））＋Ｐ・（Ｈ’・Ｑ’）／（Ｈ・Ｑ）
【００２７】
これよりウオブリングによる歪曲収差の変動を少なくするには、ウオブリングによるフォーカスレンズ群の主光線高の変動を少なくすればよい。ここで物体距離無限遠時の第３レンズ群Ｇ３の物体側の面を基準とした、第２レンズ群Ｇ２による開口絞りの像の位置、およびフォーカスレンズ群である第３レンズ群Ｇ３の横倍率、フォーカスレンズ群より後方のレンズ群である第４レンズ群Ｇ４の横倍率、およびフォーカスレンズ群における主光線高から、ウオブリングによるフォーカスレンズ群の主光線高の変動Δｈは以下の式で表される。
（参考式２）
Δｈ＝ｈ’−ｈ＝ｈ・Δｓ／（ＦｃＥｎｔｐ・Ｍ４２・（１−Ｍ３２）)      
ただし、
ＦｃＥｎｔｐ：無限遠合焦時の、第３レンズ群Ｇ３の物体側の面を基準とした、第２レンズ群Ｇ２による開口絞りの結像位置
Δｓ：ウオブリング時の像面移動量
ｈ：距離無限遠時のフォーカスレンズ群における主光線高
ｈ’：ウオブリング時のフォーカスレンズ群における主光線高
Ｍ３：物体距離無限遠時の第３レンズ群Ｇ３の横倍率
Ｍ４：物体距離無限遠時の第４レンズ群Ｇ４の横倍率
【００２８】
条件式（１）において、第１レンズ群Ｇ１と無限遠合焦時の全系の焦点距離の比を適切に規定することで、広い画角の光線の入射角を緩和させ、後続の光学系に入射させることが可能となる。
【００２９】
条件式（１）の上限を超え第１レンズ群Ｇ１の負の屈折力が大きくなると、第１レンズ群Ｇ１内の凹面の曲率がさらに大きくなり負の球面収差の発生要因となる。また第２レンズ群Ｇ２への軸上光線の入射角および光線高が大きくなるため高次収差の発生要因となり、収差補正が困難になる。またバックフォーカスが長くなるため光学系全長も長くなる。一方、条件式（１）の下限を超え第１レンズ群Ｇ１の負の屈折力が小さくなると、開口絞りを通過する主光線の傾角の緩和がなされないため、第２レンズ群Ｇ２以降の周辺光線の光線高が高くなり上光線のコマフレアの補正が困難になる。
【００３０】
なお、条件式（１）について、望ましくはその下限値を−５．０に、また上限値を−３．２５に限定することで、前述の効果をより確実にすることができる。
【００３１】
条件式（２）において、フォーカスレンズ群である第３レンズ群Ｇ３と第１レンズ群Ｇ１の焦点距離の比を適切に規定することで、フォーカス時の収差変動を抑えることが可能となる。
【００３２】
条件式（２）の上限を超え第３レンズ群Ｇ３の負の屈折力が相対的に大きくなると、フォーカス時の第３レンズ群Ｇ３の移動量が小さくなり、スペース的には有利になるが、フォーカス時の球面収差と非点収差の変動を同時に補正することが困難になる。一方、条件式（２）の下限を超え第３レンズ群Ｇ３の負の屈折力が相対的に小さくなると、フォーカス時の第３レンズ群Ｇ３の移動量が大きくなり、光学系全長が大きくなる。またウオブリング時の振幅量を大きくしなければならず、アクチュエータへの負荷がかかるため好ましくない。
【００３３】
なお、条件式（２）について、望ましくはその下限値を−４．３に、また上限値を−３．２に限定することで、前述の効果をより確実にすることができる。
【００３４】
条件式（３）において、第２レンズ群Ｇ２と第１レンズ群Ｇ１の焦点距離の比を適切に規定することで、広い画角を保持し、かつ大口径化が可能となる。
【００３５】
条件式（３）の上限を超え第２レンズ群Ｇ２の正の屈折力が相対的に大きくなる、あるいは第１レンズ群Ｇ１の負の屈折力が小さくなると、大口径化時の球面収差とコマ収差の補正が困難になる。一方、条件式（３）の下限を超え第２レンズ群Ｇ２の正の屈折力が相対的に小さくなる、あるいは第１レンズ群Ｇ１の負の屈折力が大きくなると、フォーカスレンズ群である第３レンズ群Ｇ３の負の屈折力を弱くしなければ全体の屈折力を確保できない。このためフォーカス時の第３レンズ群Ｇ３の移動量が大きくなり、光学系全長も長くなるので好ましくない。
【００３６】
なお、条件式（３）について、望ましくはその下限値を−０．５２に、また上限値を−０．３４に限定することで、前述の効果をより確実にすることができる。
【００３７】
さらに本発明の実施例のインナーフォーカス光学系では、無限遠合焦時の、第３レンズ群Ｇ３の物体側の面を基準とし、第２レンズ群Ｇ２による開口絞りの結像位置をＦｃＥｎｔｐとした時、以下に示す条件式を満足することを特徴とする。
（４）０．５＜ＦｃＥｎｔｐ／ｆ３＜０．９５
（５）ＦｃＥｎｔｐ／ｆ＜−２.０  
【００３８】
条件式（４）、（５）において、無限遠合焦時の第３レンズ群Ｇ３の物体側の面を基準とした第２レンズ群Ｇ２による開口絞りの結像位置と第３レンズ群Ｇ３の焦点距離の比、および、全系の無限遠合焦状態での焦点距離と無限遠合焦時の第３レンズ群Ｇ３の物体側の面を基準とした第２レンズ群Ｇ２による開口絞りの結像位置との比を適切に規定することで、ウオブリング時の像高変動を抑制することが可能となる。
【００３９】
条件式（４）の上限を超え、無限遠合焦時の第３レンズ群Ｇ３の物体側の面から第２レンズ群Ｇ２による開口絞りの結像位置までの距離が大きくなると、光学系全長が長くなるため好ましくない。また第３レンズ群Ｇ３の負の屈折力が大きくなると、フォーカス時の第３レンズ群Ｇ３の移動量が小さくなり、スペース的には有利になるが、フォーカス時の球面収差と非点収差の変動を同時に補正することが困難になる。一方、条件式（４）の下限を超え、無限遠合焦時の第３レンズ群Ｇ３の物体側の面から第２レンズ群Ｇ２による開口絞りの結像位置までの距離が小さくなると、ウオブリング時のフォーカスレンズ群主光線高の変動が大きくなるため、ウオブリング時の像高変動を抑制することが困難になる。
【００４０】
また条件式（５）の上限を超え、無限遠合焦時の第３レンズ群Ｇ３の物体側の面から第２レンズ群Ｇ２による開口絞りの結像位置までの距離と全系の焦点距離の比が大きくなると、同様に、ウオブリング時の像高変動を抑制することが困難になる。
【００４１】
なお、条件式（４）について、望ましくはその下限値を０．６８に、また上限値を０．８７に限定することで、前述の効果をより確実にすることができる。
【００４２】
また、条件式（５）について、望ましくはその上限値を−２．４に限定することで、前述の効果をより確実にすることができる。
【００４３】
さらに本発明の実施例のインナーフォーカス光学系では、開口絞りの像面側に、負の屈折力のレンズＬａ、正の屈折力のレンズＬｂ、負の屈折力のレンズＬｃの３枚が接合された接合レンズを有し、前記レンズＬａ、Ｌｂ、Ｌｃの接合レンズの焦点距離、合成厚が以下の条件を満足することを特徴とする。
（６）−０．１５＜ｆ／ｆａｂｃ＜０．０６
（７）０．５＜ＯＡＬａｂｃ／ｆ＜１．５
ただし
ｆａｂｃ ： Ｌａ，Ｌｂ，Ｌｃの接合レンズの焦点距離
ＯＡＬａｂｃ ： Ｌａ，Ｌｂ，Ｌｃの接合レンズの合成厚
【００４４】
条件式（６）において、無限遠合焦時の全系の焦点距離と３枚接合された接合レンズの焦点距離の比を適切に規定することにより軸上色収差、像面湾曲、非点収差の補正およびバランス取りを可能とする。
【００４５】
また条件式（７）において前記３枚接合された接合レンズの合成厚と無限遠合焦時の全系の焦点距離の比を適切に規定することにより、条件式（６）と相俟って、フォーカス群から見た開口絞りの結像位置を遠方に投影させることにより、全長を大きくすることなく、ウオブリング時の像高変動を抑制することが可能となる。
【００４６】
条件式（６）の上限を超え、３枚接合の接合レンズの正の屈折力が相対的に強くなると、ペッツバール和が正に偏移し、像面湾曲、非点収差が悪化し好ましくない。一方、条件式（６）の下限を超え、３枚接合の接合レンズの負の屈折力が相対的に強くなると、３枚接合された接合レンズの像面側に続く正のレンズ成分の屈折力を強くしなければ、フォーカスレンズ群のマージナル光線の光線高が高くなり、フォーカス時の収差変動を抑えられない。また前記正のレンズ成分の屈折力を強くすると球面収差がアンダーになり大口径化が困難になる。また、本明細書において「レンズ成分」とは、単レンズや接合レンズやレンズの集合を含む広い概念である。従って、１つのレンズ成分とは、その最も広い概念においては１つのレンズ群と同じである。 
【００４７】
また、条件式（７）の上限を超え、３枚接合された接合レンズの合成厚が大きくなると、射出瞳が遠方に射影されるため、像高変動を抑制する効果は上がるが、平行平面板の効果により球面収差がアンダーに、また非点収差がオーバーに倒れるため、大口径化を達成できない。一方、条件式（７）の下限を超え、３枚接合された接合レンズの合成厚が小さくなると、射出瞳が像側に近づくため、像高変動を抑制する効果は弱くなり、ウオブリング時の像高変動を抑えることが困難になる。また球面収差がオーバーに、また非点収差がアンダーに倒れ好ましくない。
【００４８】
なお、条件式（６）について、望ましくはその下限値を−０．１０に、また上限値を０．０３に限定することで、前述の効果をより確実にすることができる。
また、条件式（７）について、望ましくはその下限値を０．６６に、また上限値を１．１５に限定することで、前述の効果をより確実にすることができる。
【００４９】
さらに本発明の実施例のインナーフォーカス光学系では、以下に示す条件式を満足することを特徴とする。
（８）−１．３＜Ｍ４２・（１−Ｍ３２）＜−０．５
ただし、
Ｍ３：物体距離無限遠時の第３レンズ群Ｇ３の横倍率
Ｍ４：物体距離無限遠時の第４レンズ群Ｇ４の横倍率
【００５０】
条件式（８）は第３レンズ群Ｇ３がフォーカス時に移動した時の結像面の敏感度を規定する。この値を適切に規定することにより、ＡＦ合焦範囲内にフォーカスレンズ群を駆動制御することが可能となる。また、参考式（２）に示すように、この値がゼロに近づくほどウオブリングによるフォーカスレンズ群の主光線高の変動Δｈが大きくなるため適切な範囲が必要となる。
【００５１】
条件式（８）の上限を超えると、ウオブリングによるフォーカスレンズ群の主光線高の変動Δｈが大きくなるため、像高変動を抑制する効果は弱くなり、ウオブリング時の像高変動を抑えることが困難になる。一方、条件式（８）の下限を超えると、フォーカスレンズ群の移動量が少なくなるため、フォーカスレンズ群の微少な動きで結像面が大きく動き、ＡＦ合焦範囲内にフォーカスレンズ群である第３レンズ群Ｇ３を駆動制御することが困難になる。
【００５２】
なお、条件式（８）について、望ましくはその下限値を−１．０に、また上限値を−０．７に限定することで、前述の効果をより確実にすることができる。
【００５３】
本発明のインナーフォーカス光学系では、以下の段落００５４に記載した構成を伴うと、より効果的である。
【００５４】
かかる構成とは、本発明の実施例のインナーフォーカス光学系では第３レンズ群Ｇ３を単レンズで構成しているが、フォーカス駆動するアクチュエータのパワーに余裕があれば、これを接合レンズにすることによってフォーカスレンズ群で色収差補正を行うというものである。これにより、フォーカス移動による色収差の変動を抑制することも可能である。
【００５５】
次に、本発明のインナーフォーカス光学系に係る各実施例のレンズ構成と具体的な数値データについて説明する。
尚、以下の説明ではレンズ構成を物体側から像側の順番で記載する。
【００５６】
［面データ］において、面番号は物体側から数えたレンズ面又は開口絞りの番号、ｒは各面の曲率半径、ｄは各面の間隔、ｎｄはｄ線（波長λ＝５８７．５６ｎｍ）に対する屈折率、νｄはｄ線に対するアッベ数を示す。またＢＦはバックフォーカスを表す。
【００５７】
面番号を付した（開口絞り）には、平面または開口絞りに対する曲率半径∞（無限大）を記入している。
【００５８】
［非球面データ］には［面データ］において＊を付したレンズ面の非球面形状を与える各係数値を示している。非球面の形状は、光軸に直交する方向への変位をｙ、非球面と光軸の交点から光軸方向への変位（サグ量）をｚ、コーニック係数をＫ、４、６、８、１０次の非球面係数をそれぞれＡ４、Ａ６、Ａ８、Ａ１０、と置くとき、非球面の座標が以下の式で表わされるものとする。
0006565708.tif 000002
【００５９】
［各種データ］には、焦点距離等の値を示している。
【００６０】
［可変間隔データ］には、各撮影距離状態における可変間隔及びＢＦ（バックフォーカス）の値を示している。
【００６１】
［レンズ群データ］には、各レンズ群を構成する最も物体側の面番号及び群全体の合成焦点距離を示している。
【００６２】
なお、以下の全ての諸元の値において、記載している焦点距離ｆ、曲率半径ｒ、レンズ面間隔ｄ、その他の長さの単位は特記のない限りミリメートル（ｍｍ）を使用するが、光学系では比例拡大と比例縮小とにおいても同等の光学性能が得られるので、これに限られるものではない。
【００６３】
また、各実施例に対応する収差図において、ｄ、ｇ、Ｃはそれぞれｄ線、ｇ線、Ｃ線を表しており、ΔＳ、ΔＭはそれぞれサジタル像面、メリジオナル像面を表している。
【００６４】
さらに図１、８、１５、２２、２９、３６、４３に示すレンズ構成図において、Ｓは開口絞り、Ｉは像面、ＦＬは光学フィルター、中心を通る一点鎖線は光軸である。
【実施例１】
【００６５】
図１は、本発明の実施例１のインナーフォーカス光学系のレンズ構成図である。
【００６６】
図１のインナーフォーカス光学系のレンズは、物体側から像側へ順に、負の屈折力の第１レンズ群Ｇ１と、正の屈折力の第２レンズ群Ｇ２と、負の屈折力の第３レンズ群Ｇ３と、正の屈折力の第４レンズ群Ｇ４とから構成される。
【００６７】
第１レンズ群Ｇ１は、物体側に凸面を向けた正メニスカスレンズと物体側に凸面を向けた負メニスカスレンズと物体側に凸面を向けた負メニスカスレンズと物体側に凸面を向けた負メニスカスレンズと物体側に凸面を向けた負メニスカスレンズと両凸レンズから成る接合レンズと物体側に凹面を向けた負メニスカスレンズと物体側に凹面を向けた正メニスカスレンズとから成る接合レンズで構成される。
【００６８】
開口絞りＳは第１レンズ群Ｇ１と第２レンズ群Ｇ２の間に配置されている。
【００６９】
第２レンズ群Ｇ２は、物体側に凸面を向けた負メニスカスレンズＬａと両凸レンズＬｂと物体側に凹面を向けた負メニスカスレンズＬｃからなる３枚接合レンズと両凸レンズと両凸レンズで構成される。
【００７０】
第３レンズ群Ｇ３は、両凹レンズで構成され、第３レンズ群Ｇ３を光軸に沿って像面側へ移動させることにより無限遠物体から近距離物体へのフォーカシングを行っている。
【００７１】
第４レンズ群Ｇ４は、物体側が凸面で非球面からなる両凸レンズで構成される。
【００７２】
光学フィルターＦＬは第４レンズ群Ｇ４と像面Ｉとの間に配置されている。
【００７３】
続いて、以下に実施例１に係るインナーフォーカス光学系の諸元値を示す。
数値実施例1
単位：mm
[面データ]
面番号            r              d             nd             vd
物面                  ∞           (d0)
1             111.9995         3.4734        1.51680          64.20
2            1524.0793         0.2000
3              29.0201         1.9987        1.49700          81.61
4              13.4534         4.0281
5              22.5454         1.0000        1.49700          81.61
6              11.6487         4.3971
7              46.6011         1.0000        1.49700          81.61
8              16.6206         2.2002
9              77.0772         0.8000        1.71300          53.94
10              10.1427         5.7221        1.72825          28.32
11            -149.6735         2.9680
12             -12.6023         1.8746        1.54814          45.82
13             -83.6671         3.0363        1.91082          35.25
14             -18.6796         0.2562
15(開口絞り)            ∞         3.0577
16              91.3877         0.8000        1.92286          20.88
17              20.2405         6.5216        1.49700          81.61
18             -14.4992         0.8000        1.92286          20.88
19             -28.2236         0.1263
20             106.8761         4.3352        1.49700          81.61
21             -21.9850         0.1263
22              55.6039         2.2692        1.92286          20.88
23            -185.7095          (d23)
24            -193.2853         0.8000        1.48749          70.44
25              24.3139          (d25)
26*             61.3656         3.6503        1.59349          67.00
27             -29.5797         0.1500
28                   ∞         4.2000        1.51680          64.20
29                   ∞           (BF)
像面                  ∞
[非球面データ]
26面
K                0.0000
A4          -2.08326E-05
A6           7.34646E-08
A8          -5.57038E-10
A10          1.83771E-12
[各種データ]
INF           40倍          0.2ｍ
焦点距離             12.35          12.35          12.32
Fナンバー             1.47           1.48           1.50
全画角2ω            88.12          88.02          87.77
像高Y              10.82          10.82          10.82
レンズ全長            86.00          86.00          86.00
[可変間隔データ]
INF           40倍          0.2ｍ
d0                   ∞        477.0000       114.0000
d23               3.0000         3.4324         4.6496
d25               6.5127         6.0802         4.8631
BF               16.6959        16.6960        16.6959
[レンズ群データ]
群            始面            焦点距離
G1              1               -48.26
G2             16                22.25
G3             24               -44.25
G4             26                34.14
【実施例２】
【００７４】
図８は、本発明の実施例２のインナーフォーカス光学系のレンズ構成図である。
【００７５】
図８のインナーフォーカス光学系のレンズは、物体側から像側へ順に、負の屈折力の第１レンズ群Ｇ１と、正の屈折力の第２レンズ群Ｇ２と、負の屈折力の第３レンズ群Ｇ３と、正の屈折力の第４レンズ群Ｇ４とから構成される。
【００７６】
第１レンズ群Ｇ１は、物体側に凸面を向けた正メニスカスレンズと物体側に凸面を向けた負メニスカスレンズと物体側に凸面を向け、像側の面が非球面から成る負メニスカスレンズと物体側に凸面を向けた正メニスカスレンズと物体側に凹面を向けた正メニスカスレンズと両凹レンズと両凸レンズから成る接合レンズで構成される。
【００７７】
開口絞りＳは第１レンズ群Ｇ１と第２レンズ群Ｇ２の間に配置されている。
【００７８】
第２レンズ群Ｇ２は、物体側に凸面を向けた負メニスカスレンズＬａと両凸レンズＬｂと物体側に凹面を向けた負メニスカスレンズＬｃからなる３枚接合レンズと両凸レンズと像側の面が非球面から成る両凸レンズで構成される。
【００７９】
第３レンズ群Ｇ３は、物体側に凸面を向けた負メニスカスレンズで構成され、第３レンズ群Ｇ３を光軸に沿って像面側へ移動させることにより無限遠物体から近距離物体へのフォーカシングを行っている。
【００８０】
第４レンズ群Ｇ４は、物体側が凸面で非球面からなる両凸レンズで構成される。
【００８１】
光学フィルターＦＬは第４レンズ群Ｇ４と像面Ｉとの間に配置されている。
【００８２】
続いて、以下に実施例２に係るインナーフォーカス光学系の諸元値を示す。
数値実施例2
単位：mm
[面データ]
面番号            r              d             nd             vd
物面                  ∞           (d0)
1              61.9700         3.4526        1.51680          64.20
2             195.1199         0.2000
3              37.6564         1.5000        1.49700          81.61
4              12.5572         5.3354
5              39.4476         1.5000        1.59349          67.00
6*             12.1147         4.2353
7              60.0604         1.6538        1.84666          23.78
8                   ∞         1.6987
9             -23.8074         8.0047        1.59349          67.00
10             -20.2140         2.5861
11             -15.7726         0.8000        1.59270          35.45
12              28.6832         3.5481        1.84666          23.78
13             -35.0580         0.5000
14(開口絞り)            ∞         2.9894
15              89.1013         0.8000        1.80610          33.27
16              14.2443         9.7939        1.59349          67.00
17             -14.0715         0.8000        1.80610          33.27
18             -41.7388         0.1500
19              36.4960         5.4332        1.59349          67.00
20             -26.8525         0.1263
21             225.8417         2.4607        1.59349          67.00
22*            -64.6965          (d22)
23              70.4259         0.8000        1.48749          70.44
24              18.1604          (d24)
25              84.0917         3.5125        1.43700          95.10
26             -30.7754         0.1500
27                   ∞         4.2000        1.51680          64.20
28                   ∞           (BF)
像面                  ∞
[非球面データ]
6面           22面
K                0.0000         0.0000
A4          -1.45261E-05    3.03245E-05
A6          -3.19713E-07   -2.89377E-08
A8           2.18843E-09    5.44612E-11
A10         -2.26972E-11    2.16299E-13
[各種データ]
INF           40倍          0.2ｍ
焦点距離             12.33          12.29          12.15
Fナンバー             1.47           1.47           1.47
全画角2ω            88.70          88.69          88.68
像高Y              10.82          10.82          10.82
レンズ全長            89.64          89.64          89.64
[可変間隔データ]
INF           40倍          0.2ｍ
d0                   ∞        475.3552       110.3552
d22               2.0000         2.3791         3.4852
d24               5.4424         5.0633         3.9572
BF               15.9715        15.9715        15.9715
[レンズ群データ]
群            始面         焦点距離
G1              1               -41.81
G2             15                20.61
G3             23               -50.45
G4             25                52.04
【実施例３】
【００８３】
図１５は、本発明の実施例３のインナーフォーカス光学系のレンズ構成図である。
【００８４】
図１５のインナーフォーカス光学系のレンズは、物体側から像側へ順に、負の屈折力の第１レンズ群Ｇ１と、正の屈折力の第２レンズ群Ｇ２と、負の屈折力の第３レンズ群Ｇ３と、正の屈折力の第４レンズ群Ｇ４とから構成される。
【００８５】
第１レンズ群Ｇ１は、物体側に凸面を向けた正メニスカスレンズと物体側に凸面を向けた負メニスカスレンズと物体側に凸面を向け、像側の面が非球面から成る負メニスカスレンズと物体側が凸面を向けた凸平レンズと物体側に凹面を向けた正メニスカスレンズと両凹レンズと両凸レンズから成る３枚接合レンズで構成される。
【００８６】
開口絞りＳは第１レンズ群Ｇ１と第２レンズ群Ｇ２の間に配置されている。
【００８７】
第２レンズ群Ｇ２は、物体側に凸面を向けた負メニスカスレンズＬａと両凸レンズＬｂと物体側に凹面を向けた負メニスカスレンズＬｃからなる３枚接合レンズと両凸レンズと像側の面が非球面から成る両凸レンズで構成される。
【００８８】
第３レンズ群Ｇ３は、物体側に凸面を向けた負メニスカスレンズで構成され、第３レンズ群Ｇ３を光軸に沿って像面側へ移動させることにより無限遠物体から近距離物体へのフォーカシングを行っている。
【００８９】
第４レンズ群Ｇ４は、両凸レンズで構成される。
【００９０】
光学フィルターＦＬは第４レンズ群Ｇ４と像面Ｉとの間に配置されている。
【００９１】
続いて、以下に実施例３に係るインナーフォーカス光学系の諸元値を示す。
数値実施例3
単位：mm
[面データ]
面番号            r              d             nd             vd
物面                  ∞           (d0)
1              94.1558         3.2246        1.51680          64.20
2            1200.0836         0.2000
3              48.5901         1.5000        1.49700          81.61
4              12.8100         5.1784
5              34.9609         1.5000        1.59349          67.00
6*             11.5418         4.4503
7              45.1993         5.1086        1.84666          23.78
8                   ∞         1.7177
9             -21.9447         8.2345        1.55032          75.49
10             -13.2984         0.8000        1.64769          33.84
11              29.1932         3.9912        1.84666          23.78
12             -34.9133         0.5000
13(開口絞り)            ∞         2.4666
14              49.8054         0.8000        1.80610          33.27
15              13.9281         9.4493        1.59349          67.00
16             -17.6773         0.8000        1.80610          33.27
17             -60.0201         0.1500
18              30.2427         5.5071        1.59349          67.00
19             -28.5524         0.1263
20            1423.2341         2.1142        1.59349          67.00
21*            -68.3139          (d21)
22              79.7955         0.8000        1.48749          70.44
23              16.9909          (d23)
24             123.6121         3.1473        1.43700          95.10
25             -27.8516         0.1500
26                   ∞         4.2000        1.51680          64.20
27                   ∞           (BF)
像面                  ∞
[非球面データ]
6面           21面
K                0.0000         0.0000
A4          -1.62249E-05    3.85559E-05
A6          -5.40875E-07   -2.75521E-08
A8           4.78586E-09   -2.94247E-11
A10         -3.92291E-11    6.00352E-13
[各種データ]
INF           40倍          0.2ｍ
焦点距離             12.41          12.35          12.19
Fナンバー             1.46           1.46           1.46
全画角2ω            88.19          88.13          88.00
像高Y              10.82          10.82          10.82
レンズ全長            88.51          88.51          88.51
[可変間隔データ]
INF           40倍          0.2ｍ
d0                   ∞        479.4899       111.4899
d21               2.0000         2.3345         3.3175
d23               5.1375         4.8029         3.8200
BF               15.2563        15.2563        15.2562
[レンズ群データ]
群            始面            焦点距離
G1              1               -44.55
G2             14                20.51
G3             22               -44.47
G4             24                52.34
【実施例４】
【００９２】
図２２は、本発明の実施例４のインナーフォーカス光学系のレンズ構成図である。
【００９３】
図２２のインナーフォーカス光学系のレンズは、物体側から像側へ順に、負の屈折力の第１レンズ群Ｇ１と、正の屈折力の第２レンズ群Ｇ２と、負の屈折力の第３レンズ群Ｇ３と、正の屈折力の第４レンズ群Ｇ４とから構成される。
【００９４】
第１レンズ群Ｇ１は、物体側に凸面を向けた正メニスカスレンズと物体側に凸面を向けた負メニスカスレンズと物体側に凸面を向け像側の面が非球面から成る負メニスカスレンズと両凸レンズと物体側に凹面を向けた正メニスカスレンズと両凹レンズと両凸レンズから成る３枚接合レンズで構成される。
【００９５】
開口絞りＳは第１レンズ群Ｇ１と第２レンズ群Ｇ２の間に配置されている。
【００９６】
第２レンズ群Ｇ２は、物体側に凸面を向けた負メニスカスレンズＬａと両凸レンズＬｂと物体側に凹面を向けた負メニスカスレンズＬｃからなる３枚接合レンズと両凸レンズと像側の面が非球面から成る両凸レンズで構成される。
【００９７】
第３レンズ群Ｇ３は、物体側に凸面を向けた負メニスカスレンズで構成され、第３レンズ群Ｇ３を光軸に沿って像面側へ移動させることにより無限遠物体から近距離物体へのフォーカシングを行っている。
【００９８】
第４レンズ群Ｇ４は、両凸レンズで構成される。
【００９９】
光学フィルターＦＬは第４レンズ群Ｇ４と像面Ｉとの間に配置されている。
【０１００】
続いて、以下に実施例４に係るインナーフォーカス光学系の諸元値を示す。
数値実施例4
単位：mm
[面データ]
面番号            r              d             nd             vd
物面                  ∞           (d0)
1              84.5939         3.2460        1.51680          64.20
2             797.6103         0.2000
3              66.8147         1.5000        1.49700          81.61
4              12.7398         5.9756
5              41.5116         1.5000        1.59349          67.00
6*             11.7656         4.3735
7              44.4076         2.0816        1.90366          31.31
8            -281.9358         2.3034
9             -22.9563         6.8396        1.55032          75.50
10             -13.2984         0.8000        1.64769          33.84
11              38.2640         3.3506        1.84666          23.78
12             -30.1874         4.3711
13(開口絞り)            ∞         2.5331
14              48.1820         1.4537        1.80610          33.27
15              13.4074         9.4570        1.59349          67.00
16             -14.9377         0.8000        1.80610          33.27
17            -138.4709         0.1500
18              41.8155         4.8143        1.77250          49.62
19             -27.4108         0.1263
20             159.3318         2.4083        1.59349          67.00
21*            -71.0227          (d21)
22             149.4015         0.8000        1.48749          70.44
23              17.7368          (d23)
24              86.9239         3.5702        1.43700          95.10
25             -27.8966         0.1500
26                   ∞         4.2000        1.51680          64.20
27                   ∞           (BF)
像面                  ∞
[非球面データ]
6面           21面
K                0.0000         0.0000
A4          -3.57723E-05    3.68805E-05
A6          -4.18787E-07   -5.56128E-08
A8           2.34966E-09    3.15561E-10
A10         -3.33633E-11   -8.31317E-13
[各種データ]
INF           40倍          0.2ｍ
焦点距離             12.22          12.17          12.01
Fナンバー             1.46           1.46           1.46
全画角2ω            89.26          89.23          89.17
像高Y              10.82          10.82          10.82
レンズ全長            88.51          88.51          88.51
[可変間隔データ]
INF           40倍          0.2ｍ
d0                   ∞        471.4900       111.4901
d21               2.0000         2.3158         3.2195
d23               5.1062         4.7904         3.8867
BF               14.3993        14.3993        14.3993
[レンズ群データ]
群            始面            焦点距離
G1              1               -60.32
G2             14                20.39
G3             22               -41.37
G4             24                48.79
【実施例５】
【０１０１】
図２９は、本発明の実施例５のインナーフォーカス光学系のレンズ構成図である。
【０１０２】
図２９のインナーフォーカス光学系のレンズは、物体側から像側へ順に、負の屈折力の第１レンズ群Ｇ１と、正の屈折力の第２レンズ群Ｇ２と、負の屈折力の第３レンズ群Ｇ３と、正の屈折力の第４レンズ群Ｇ４とから構成される。
【０１０３】
第１レンズ群Ｇ１は、物体側に凸面を向けた正メニスカスレンズと物体側に凸面を向けた負メニスカスレンズと物体側に凸面を向け像側の面が非球面から成る負メニスカスレンズと両凸レンズと物体側に凹面を向けた正メニスカスレンズと両凹レンズと両凸レンズから成る３枚接合レンズで構成される。
【０１０４】
開口絞りＳは第１レンズ群Ｇ１と第２レンズ群Ｇ２の間に配置されている。
【０１０５】
第２レンズ群Ｇ２は、物体側に凸面を向けた負メニスカスレンズＬａと両凸レンズＬｂと物体側に凹面を向けた負メニスカスレンズＬｃからなる３枚接合レンズと両凸レンズと像側の面が非球面から成る両凸レンズで構成される。
【０１０６】
第３レンズ群Ｇ３は、物体側に凸面を向けた負メニスカスレンズで構成され、第３レンズ群Ｇ３を光軸に沿って像面側へ移動させることにより無限遠物体から近距離物体へのフォーカシングを行っている。
【０１０７】
第４レンズ群Ｇ４は、両凸レンズで構成される。
【０１０８】
光学フィルターＦＬは第４レンズ群Ｇ４と像面Ｉとの間に配置されている。
【０１０９】
続いて、以下に実施例５に係るインナーフォーカス光学系の諸元値を示す。
数値実施例5
単位：mm
[面データ]
面番号            r              d             nd             vd
物面                  ∞           (d0)
1              92.7835         3.0140        1.51680          64.20
2             944.7431         0.2000
3              61.5507         1.5000        1.49700          81.61
4              12.6652         6.8120
5              46.9978         1.5000        1.59349          67.00
6*             11.7745         4.1858
7              46.1775         1.9567        1.90366          31.31
8            -365.5764         2.8857
9             -20.8072         4.0393        1.55032          75.50
10             -10.8701         0.8000        1.64769          33.84
11              40.6050         3.7101        1.84666          23.78
12             -24.3611         4.3990
13(開口絞り)            ∞         1.8197
14              48.8138         3.1111        1.80610          33.27
15              13.4037         9.7120        1.59349          67.00
16             -14.2433         0.8000        1.80610          33.27
17            -157.7796         0.1500
18              45.7722         4.7785        1.77250          49.62
19             -26.1471         0.1263
20             234.9351         2.4179        1.59349          67.00
21*            -64.4738          (d21)
22             131.2250         0.8000        1.48749          70.44
23              17.6774          (d23)
24              56.0468         3.9772        1.43700          95.10
25             -29.5065         0.1500
26                   ∞         4.2000        1.51680          64.20
27                   ∞           (BF)
像面                  ∞
[非球面データ]
6面           21面
K                0.0000         0.0000
A4          -3.48384E-05    3.29882E-05
A6          -4.95711E-07   -4.94954E-08
A8           3.58410E-09    2.79280E-10
A10         -4.44666E-11   -7.30904E-13
[各種データ]
INF           40倍          0.2ｍ
焦点距離             12.34          12.29          12.16
Fナンバー             1.47           1.47           1.47
全画角2ω            88.55          88.49          88.35
像高Y              10.82          10.82          10.82
レンズ全長            89.01          89.01          89.01
[可変間隔データ]
INF           40倍          0.2ｍ
d0                   ∞        475.9851       110.9851
d21               2.0000         2.3357         3.3160
d23               5.2689         4.9332         3.9529
BF               14.7008        14.7008        14.7008
[レンズ群データ]
群            始面            焦点距離
G1              1               -62.04
G2             14                21.42
G3             22               -42.00
G4             24                44.87
【実施例６】
【０１１０】
図３６は、本発明の実施例６のインナーフォーカス光学系のレンズ構成図である。
【０１１１】
図３６のインナーフォーカス光学系のレンズは、物体側から像側へ順に、負の屈折力の第１レンズ群Ｇ１と、正の屈折力の第２レンズ群Ｇ２と、負の屈折力の第３レンズ群Ｇ３と、正の屈折力の第４レンズ群Ｇ４とから構成される。
【０１１２】
第１レンズ群Ｇ１は、両凸レンズと物体側に凸面を向けた負メニスカスレンズと物体側に凸面を向け両側の面が非球面から成る負メニスカスレンズと両凸レンズと物体側に凹面を向けた正メニスカスレンズと両凹レンズと両凸レンズから成る３枚接合レンズで構成される。
【０１１３】
開口絞りＳは第１レンズ群Ｇ１と第２レンズ群Ｇ２の間に配置されている。
【０１１４】
第２レンズ群Ｇ２は、物体側に凸面を向けた負メニスカスレンズＬａと両凸レンズＬｂと物体側に凹面を向けた負メニスカスレンズＬｃからなる３枚接合レンズと両凸レンズと物体側が凹面を向け両側の面が非球面から成る正メニスカスレンズで構成される。
【０１１５】
第３レンズ群Ｇ３は、物体側に凸面を向けた負メニスカスレンズで構成され、第３レンズ群Ｇ３を光軸に沿って像面側へ移動させることにより無限遠物体から近距離物体へのフォーカシングを行っている。
【０１１６】
第４レンズ群Ｇ４は、両凸レンズで構成される。
【０１１７】
光学フィルターＦＬは第４レンズ群Ｇ４と像面Ｉとの間に配置されている。
【０１１８】
続いて、以下に実施例６に係るインナーフォーカス光学系の諸元値を示す。
数値実施例6
単位：mm
[面データ]
面番号            r              d             nd             vd
物面                  ∞           (d0)
1             148.0172         2.3711        1.51680          64.20
2         -142366.9122         0.2000
3              65.4978         1.5000        1.49700          81.61
4              13.0033         6.7242
5*             45.5902         1.5000        1.59349          67.00
6*             12.1958         4.8171
7              48.5613         2.0527        1.90366          31.31
8            -260.8483         3.6912
9             -21.2467         3.3049        1.55032          75.50
10             -12.7614         0.8000        1.64769          33.84
11              35.9287         3.7451        1.84666          23.78
12             -28.2061         4.4220
13(開口絞り)            ∞         1.2399
14              40.2489         2.2389        1.80610          33.27
15              13.8101        10.0558        1.59349          67.00
16             -13.8912         0.8000        1.80610          33.27
17            -488.3151         0.1500
18              40.0072         4.9275        1.77250          49.62
19             -27.8584         0.1263
20*          -2983.7281         2.4541        1.59349          67.00
21*            -45.6636          (d21)
22             148.4414         0.8000        1.48749          70.44
23              17.3319          (d23)
24              50.7900         4.0570        1.43700          95.10
25             -30.7400         0.1500
26                   ∞         4.2000        1.51680          64.20
27                   ∞           (BF)
像面                  ∞
[非球面データ]
5面            6面           20面           21面
K                0.0000         0.0000         0.0000         0.0000
A4          -8.29511E-07   -4.30314E-05   -7.15980E-06    2.92706E-05
A6           1.32579E-07   -1.77753E-07    2.02067E-08   -1.14763E-08
A8          -9.99712E-10   -2.39719E-10    1.65705E-09    1.95036E-09
A10          3.83778E-12   -1.47642E-11   -7.40897E-12   -7.97317E-12
[各種データ]
INF           40倍          0.2ｍ
焦点距離             12.46          12.42          12.28
Fナンバー             1.46           1.46           1.47
全画角2ω            88.37          88.27          87.98
像高Y              10.82          10.82          10.82
レンズ全長            89.02          89.02          89.02
[可変間隔データ]
INF            40倍          0.2ｍ
d0                   ∞        482.9801       110.9801
d21               2.0000         2.3167         3.2633
d23               5.2288         4.9121         3.9656
BF               15.4632        15.4632        15.4631
[レンズ群データ]
群            始面            焦点距離
G1              1               -48.82
G2             14                21.29
G3             22               -40.33
G4             24                44.49
【実施例７】
【０１１９】
図４３は、本発明の実施例７のインナーフォーカス光学系のレンズ構成図である。
【０１２０】
図４３のインナーフォーカス光学系のレンズは、物体側から像側へ順に、負の屈折力の第１レンズ群Ｇ１と、正の屈折力の第２レンズ群Ｇ２と、負の屈折力の第３レンズ群Ｇ３と、正の屈折力の第４レンズ群Ｇ４とから構成される。
【０１２１】
第１レンズ群Ｇ１は、両凸レンズと物体側に凸面を向けた負メニスカスレンズと物体側に凸面を向け両側の面が非球面から成る負メニスカスレンズと両凸レンズと物体側に凹面を向けた正メニスカスレンズと両凹レンズと両凸レンズから成る３枚接合レンズで構成される。
【０１２２】
開口絞りＳは第１レンズ群Ｇ１と第２レンズ群Ｇ２の間に配置されている。
【０１２３】
第２レンズ群Ｇ２は、物体側に凸面を向けた負メニスカスレンズＬａと両凸レンズＬｂと物体側に凹面を向けた負メニスカスレンズＬｃからなる３枚接合レンズと両凸レンズと物体側が凹面を向け両側の面が非球面から成る正メニスカスレンズで構成される。
【０１２４】
第３レンズ群Ｇ３は、物体側に凸面を向けた負メニスカスレンズで構成され、第３レンズ群Ｇ３を光軸に沿って像面側へ移動させることにより無限遠物体から近距離物体へのフォーカシングを行っている。
【０１２５】
第４レンズ群Ｇ４は、物体側に凸面を向けた負メニスカスレンズと両凸レンズから成る接合レンズで構成される。
【０１２６】
光学フィルターＦＬは第４レンズ群Ｇ４と像面Ｉとの間に配置されている。
【０１２７】
続いて、以下に実施例７に係るインナーフォーカス光学系の諸元値を示す。
数値実施例7
単位：mm
[面データ]
面番号            r              d             nd             vd
物面                  ∞           (d0)
1             214.0210         2.4795        1.51680          64.20
2            -459.3514         0.2000
3              57.7775         1.5000        1.49700          81.61
4              11.8460         5.1583
5*             24.7464         1.5000        1.59349          67.00
6*             11.7790         5.2477
7             246.2613         1.3749        1.90366          31.31
8            -138.8222         3.6238
9             -17.6844         3.9828        1.55032          75.50
10             -10.7668         0.8000        1.59270          35.45
11              36.7595         4.0829        1.84666          23.78
12             -28.0517         1.6945
13(開口絞り)            ∞         2.2258
14              39.5254         2.3574        1.80610          33.27
15              14.1896        11.1402        1.59349          67.00
16             -15.5283         0.8000        1.80610          33.27
17            -131.8122         0.1500
18              46.4965         5.1616        1.77250          49.62
19             -29.2158         0.1263
20*            549.1239         2.3942        1.59349          67.00
21*            -58.2043          (d21)
22             209.7375         0.8000        1.48749          70.44
23              23.2521          (d23)
24              32.8717         0.8000        1.83481          42.72
25              16.6499         6.5071        1.43700          95.10
26             -29.8402         0.1500
27                   ∞         4.2000        1.51680          64.20
28                   ∞           (BF)
像面                  ∞
[非球面データ]
5面            6面           20面           21面
K                0.0000         0.0000         0.0000         0.0000
A4           3.04792E-05    7.94799E-06    1.20612E-05    4.69646E-05
A6          -1.49310E-07   -4.83730E-07    2.40482E-07    2.38747E-07
A8           1.12955E-09    3.15734E-09   -2.91096E-10   -2.27444E-10
A10         -2.41320E-12   -3.27600E-11   -8.66765E-13   -5.28665E-13
[各種データ]
INF           40倍          0.2ｍ
焦点距離             12.39          12.33          12.17
Fナンバー             1.46           1.46           1.46
全画角2ω            88.34          88.40          88.61
像高Y              10.82          10.82          10.82
レンズ全長            89.02          89.02          89.02
[可変間隔データ]
INF           40倍          0.2ｍ
d0                    ∞       480.9801       110.9801
d21               2.0000         2.3699         3.4830
d23               5.4429         5.0730         3.9598
BF               13.1199        13.1199        13.1200
[レンズ群データ]
群            始面            焦点距離
G1              1               -40.25
G2             14                21.10
G3             22               -53.72
G4             24                61.98
【０１２８】
[条件式対応値]
条件式／実施例                  EX1   EX2   EX3   EX4   EX5   EX6   EX7
(1)-6.5＜ｆ１/ｆ＜-2.8              -3.91 -3.39 -3.59 -4.94 -5.03 -3.92 -3.25
(2)-5.6＜f3/ｆ＜-3.0                -3.58 -4.09 -3.58 -3.39 -3.40 -3.24 -4.34
(3)-0.68＜f2/f1＜-0.24              -0.46 -0.49 -0.46 -0.34 -0.35 -0.44 -0.52
(4)0.5＜FcEntp/f3＜0.95              0.68  0.82  0.73  0.86  0.87  0.79  0.78
(5)FcEntp/f＜-2.0                   -2.43 -3.37 -2.63 -2.91 -2.97 -2.55 -3.37
(6)-0.15＜f/fabc＜0.06              -0.08 -0.02  0.03 -0.09 -0.10 -0.10 -0.02
(7)0.5＜OALabc/f＜1.5                0.66  0.92  0.89  0.96  1.10  1.05  1.15
(8)-1.3＜M42・(1-M32)＜-0.5         -0.72 -0.82 -0.93 -0.97 -0.93 -0.99 -0.84
【符号の説明】
【０１２９】
Ｇ１  第１レンズ群
Ｇ２  第２レンズ群
Ｇ３  第３レンズ群
Ｇ４  第４レンズ群
Ｌａ  ３枚接合を構成する負レンズ
Ｌｂ  ３枚接合を構成する正レンズ
Ｌｃ  ３枚接合を構成する負レンズ
Ｓ    開口絞り
ＦＬ  光学フィルター
Ｉ    像面
【図１】
0006565708.tif 000003
【図２】
0006565708.tif 000004
【図３】
0006565708.tif 000005
【図４】
0006565708.tif 000006
【図５】
0006565708.tif 000007
【図６】
0006565708.tif 000008
【図７】
0006565708.tif 000009
【図８】
0006565708.tif 000010
【図９】
0006565708.tif 000011
【図１０】
0006565708.tif 000012
【図１１】
0006565708.tif 000013
【図１２】
0006565708.tif 000014
【図１３】
0006565708.tif 000015
【図１４】
0006565708.tif 000016
【図１５】
0006565708.tif 000017
【図１６】
0006565708.tif 000018
【図１７】
0006565708.tif 000019
【図１８】
0006565708.tif 000020
【図１９】
0006565708.tif 000021
【図２０】
0006565708.tif 000022
【図２１】
0006565708.tif 000023
【図２２】
0006565708.tif 000024
【図２３】
0006565708.tif 000025
【図２４】
0006565708.tif 000026
【図２５】
0006565708.tif 000027
【図２６】
0006565708.tif 000028
【図２７】
0006565708.tif 000029
【図２８】
0006565708.tif 000030
【図２９】
0006565708.tif 000031
【図３０】
0006565708.tif 000032
【図３１】
0006565708.tif 000033
【図３２】
0006565708.tif 000034
【図３３】
0006565708.tif 000035
【図３４】
0006565708.tif 000036
【図３５】
0006565708.tif 000037
【図３６】
0006565708.tif 000038
【図３７】
0006565708.tif 000039
【図３８】
0006565708.tif 000040
【図３９】
0006565708.tif 000041
【図４０】
0006565708.tif 000042
【図４１】
0006565708.tif 000043
【図４２】
0006565708.tif 000044
【図４３】
0006565708.tif 000045
【図４４】
0006565708.tif 000046
【図４５】
0006565708.tif 000047
【図４６】
0006565708.tif 000048
【図４７】
0006565708.tif 000049
【図４８】
0006565708.tif 000050
【図４９】
0006565708.tif 000051